(57)【要約】【課題】部品点数を増やすことなく、携帯型電子機器における開閉状態や周囲の明るさなどの状態を検出することができる携帯型電子機器を提供する。【解決手段】携帯電話機１００の動作モードが検出モードのときは、従来、撮像モードでのみ動作していたカメラ部９が動作し、このカメラ部９によって撮像された画像に、第２筐体１７に備えられた印１５が写っているか否かをＣＰＵ５が検出する。ＣＰＵ５は、検出モードで撮像された画像に印１５が写っているか否かの検出結果に基づいて携帯電話機１００の開閉状態を検出する。開閉状態が検出されると、ＣＰＵ５は、検出された携帯電話機１００の開閉状態に基づいて、表示部１２を照明する照明部１４の発光光量を調整し、表示部１２の視覚認識性に関するパラメータである輝度を調整する。【選択図】　　　図１
2004135174.tif 000002
【特許請求の範囲】
【請求項１】
第１および第２筐体から成り、この２つの筐体が折りたたみ可能に構成される折りたたみ型の携帯型電子機器であって、
前記２つの筐体を折りたたんだときの第１筐体の内側に設けられ、入射した光を電気信号に変換して画像を撮像する撮像手段と、
前記撮像手段によって撮像された画像を記憶する記憶手段と、
前記撮像手段によって撮像された画像に基づいて携帯型電子機器の状態を検出する状態検出手段と、
前記撮像手段によって画像を撮像する撮像モードと、前記状態検出手段によって携帯型電子機器の状態を検出する検出モードとを切替えるモード切替手段とを備え、
前記撮像モードのときには、前記撮像手段が画像を撮像して、前記記憶手段がこの撮像された画像を記憶し、
前記検出モードのときには、前記撮像手段が画像を撮像して、前記状態検出手段がこの撮像された画像に基づいて携帯型電子機器の状態を検出することを特徴とする携帯型電子機器。
【請求項２】
前記状態検出手段は、前記撮像手段によって撮像された画像に第２筐体が写っているか否かに基づいて携帯型電子機器の開閉状態を検出することを特徴とする請求項１記載の携帯型電子機器。
【請求項３】
前記２つの筐体を折りたたんだときの第２筐体の内側に印を備え、
前記状態検出手段は、前記撮像手段によって撮像された画像に印が写っているか否かに基づいて携帯型電子機器の開閉状態を検出することを特徴とする請求項１記載の携帯型電子機器。
【請求項４】
前記状態検出手段は、前記撮像手段によって撮像された第２筐体を含む画像の第２筐体の形態に基づいて、２つの筐体の成す角度を検出することを特徴とする請求項１記載の携帯型電子機器。
【請求項５】
前記２つの筐体を折りたたんだときの第２筐体の内側に印を備え、
前記状態検出手段は、前記撮像手段によって撮像された印を含む画像の印の形態に基づいて、２つの筐体の成す角度を検出することを特徴とする請求項１記載の携帯型電子機器。
【請求項６】
前記状態検出手段は、前記撮像手段によって撮像された画像に基づいて携帯型電子機器の周囲の明るさを検出することを特徴とする請求項１記載の携帯型電子機器。
【請求項７】
前記２つの筐体の少なくともいずれか一方筐体に設けられ、画像を表示する表示手段と、
前記状態検出手段によって検出された携帯型電子機器の状態に基づいて表示手段を照明する照明手段の発光光量を調整する光量調整手段、および前記状態検出手段によって検出された携帯型電子機器の状態に基づいて表示手段の視覚認識性に関するパラメータを調整するパラメータ調整手段の少なくともいずれか一方とを備えることを特徴とする請求項１〜６のいずれか１つに記載の携帯型電子機器。
【発明の詳細な説明】
【０００１】
【発明の属する技術分野】
本発明は、いわゆるカメラ付携帯電話機のように、入射した光を電気信号に変換して画像を撮像する撮像手段を備える携帯型電子機器に関する。
【０００２】
【従来の技術】
携帯電話機の中には、単に通話だけではなく、携帯電話機の状態を検出し、検出された結果に基づいて所定の動作を制御する携帯電話機がある。
【０００３】
第１の先行技術（たとえば特許文献１参照）には、携帯電話機の状態として周囲の明るさを検出し、その検出結果に基づいて所定の動作を制御するカメラ付携帯電話機が開示されている。このカメラ付携帯電話機では、搭載しているカメラを用いて周囲の明るさを輝度値として検出し、その検出結果に基づいて着信音の音量を制御している。
【０００４】
第２の先行技術（たとえば特許文献２参照）には、携帯電話機の状態として携帯電話機の開閉状態を検出し、その検出結果に基づいて所定の動作を制御する折りたたみ型携帯電話機が開示されている。この折りたたみ型携帯電話機では、光センサを用いて着信時における携帯電話機の開閉状態を検出し、その検出結果に基づいて通話モードに移行する処理を制御している。
【０００５】
【特許文献１】
特開２０００−１８４０１３号公報
【特許文献２】
特許第２９４４５８２号公報
【０００６】
【発明が解決しようとする課題】
前述した第２の先行技術の折りたたみ型携帯電話機において、携帯電話機の開閉状態を検出するときには、光センサなどの開閉状態を検出するための専用部品を、携帯電話機に新たに備える必要がある。したがって、携帯電話機全体の部品点数が増大してしまう。これによって、携帯電話機の小型化が困難になるとともに、製造コストも増加するという問題がある。
【０００７】
本発明の目的は、部品点数を増やすことなく、携帯型電子機器における開閉状態や周囲の明るさなどの状態を検出することができる携帯型電子機器を提供することである。
【０００８】
【課題を解決するための手段】
本発明は、第１および第２筐体から成り、この２つの筐体が折りたたみ可能に構成される折りたたみ型の携帯型電子機器であって、
前記２つの筐体を折りたたんだときの第１筐体の内側に設けられ、入射した光を電気信号に変換して画像を撮像する撮像手段と、
前記撮像手段によって撮像された画像を記憶する記憶手段と、
前記撮像手段によって撮像された画像に基づいて携帯型電子機器の状態を検出する状態検出手段と、
前記撮像手段によって画像を撮像する撮像モードと、前記状態検出手段によって携帯型電子機器の状態を検出する検出モードとを切替えるモード切替手段とを備え、
前記撮像モードのときには、前記撮像手段が画像を撮像して、前記記憶手段がこの撮像された画像を記憶し、
前記検出モードのときには、前記撮像手段が画像を撮像して、前記状態検出手段がこの撮像された画像に基づいて携帯型電子機器の状態を検出することを特徴とする携帯型電子機器である。
【０００９】
本発明に従えば、撮像モードと検出モードの２種類のモードを有し、モード切替手段によって各モードを切替えて動作する。撮像モードでは、撮像手段によって画像を撮像し、この撮像された画像を記憶手段に記憶する。検出モードでは、撮像手段によって画像を撮像し、この撮像された画像に基づいて状態検出手段が、携帯型電子機器の状態を検出する。従来の携帯型電子機器において、検出モードでは、たとえばセンサまたはスイッチなどの検出専用の部品を用いて携帯型電子機器の状態を検出している。本発明では、モード切替手段によって検出モードに切替えられた場合に、従来、撮像モードでのみ動作していた撮像手段が動作し、状態検出手段は、この撮像手段によって撮像された画像に基づいて携帯型電子機器の状態を検出する。これによって、状態を検出するための専用の部品を、携帯型電子機器に新たに備える必要がないので、携帯型電子機器全体の部品点数を増やすことなく、携帯型電子機器の状態を検出することができる。
【００１０】
また本発明は、前記状態検出手段は、前記撮像手段によって撮像された画像に第２筐体が写っているか否かに基づいて携帯型電子機器の開閉状態を検出することを特徴とする。
【００１１】
本発明に従えば、モード切替手段によって検出モードに切替えられた場合は、状態検出手段が、撮像手段で撮像された画像に第２筐体が写っているか否かに基づいて携帯型電子機器の開閉状態を検出する。たとえば、２つの筐体の成す角度が９０度未満では撮像された画像に第２筐体が写り、９０度以上では写らないような携帯型電子機器の場合は、２つの筐体の成す角度が０度以上９０度未満の状態を、携帯型電子機器が閉じている状態とし、２つの筐体の成す角度が９０度以上最大開角度以下の状態を、携帯型電子機器が開いている状態とする。ここで最大開角度とは、２つの筐体の成す最大の角度であり、多くの携帯型電子機器では、約１８０度である。そして撮像手段によって撮像された画像に第２筐体が写っていると検出された場合には、状態検出手段は、携帯型電子機器が閉じている状態であると検出し、撮像手段によって撮像された画像に第２筐体が写っていないと検出された場合には、状態検出手段は、携帯型電子機器が開いている状態であると検出する。
【００１２】
前述のように、第２筐体が、撮像手段によって撮像された画像に写っているか否かを検出するだけで、携帯型電子機器の開閉状態を検出することができるので、比較的容易かつ短時間に携帯型電子機器の開閉状態を検出することができる。
【００１３】
また本発明は、前記２つの筐体を折りたたんだときの第２筐体の内側に印を備え、
前記状態検出手段は、前記撮像手段によって撮像された画像に印が写っているか否かに基づいて携帯型電子機器の開閉状態を検出することを特徴とする。
【００１４】
本発明に従えば、モード切替手段によって検出モードに切替えられた場合は、状態検出手段が、撮像手段で撮像された画像に、第２筐体に備えられた印が写っているか否かに基づいて携帯型電子機器の開閉状態を検出する。たとえば、２つの筐体の成す角度が９０度未満では撮像された画像に第２筐体が写り、９０度以上では写らないような携帯型電子機器の場合は、２つの筐体の成す角度が０度以上９０度未満の状態を、携帯型電子機器が閉じている状態とし、２つの筐体の成す角度が９０度以上最大開角度以下の状態を、携帯型電子機器が開いている状態とする。ここで最大開角度とは、２つの筐体の成す最大の角度であり、多くの携帯型電子機器では、約１８０度である。そして撮像手段によって撮像された画像に印が写っている場合には、状態検出手段は、携帯型電子機器が閉じている状態であると検出し、撮像手段によって撮像された画像に印が写っていない場合には、状態検出手段は、携帯型電子機器が開いている状態であると検出する。
【００１５】
前述のように、予め２つの筐体を折りたたんだときの第２筐体の内側に備えられた印が、撮像手段によって撮像された画像に写っているか否かを検出するだけで、携帯型電子機器の開閉状態を検出することができるので、撮像手段によって撮像された画像に第２筐体が写っているか否かに基づいて開閉状態を検出するときよりも、さらに容易かつ短時間に携帯型電子機器の開閉状態を検出することができる。
【００１６】
また本発明は、前記状態検出手段は、前記撮像手段によって撮像された第２筐体を含む画像の第２筐体の形態に基づいて、２つの筐体の成す角度を検出することを特徴とする。
【００１７】
本発明に従えば、モード切替手段によって検出モードに切替えられた場合は、状態検出手段が、撮像手段によって撮像された第２筐体を含む画像の第２筐体の形態、たとえば大きさ、形などに基づいて、２つの筐体の成す角度を検出する。たとえば、予め２つの筐体の成す角度を種々変えて、撮像手段で撮像した第２筐体を含む画像をサンプル画像として記憶させておき、検出モードのときに撮像手段によって撮像された第２筐体を含む画像と、予め記憶されているサンプル画像とを比較する。前記サンプル画像の第２筐体の形態と前記第２筐体を含む画像の第２筐体の形態とが一致した場合、一致したサンプル画像を撮像したときの角度を２つの筐体の成す角度として検出する。
【００１８】
前述のように、前記サンプル画像の第２筐体の形態と前記第２筐体を含む画像の第２筐体の形態とが一致するか否かを判断するだけで、２つの筐体の成す角度を検出することができるので、撮像手段によって撮像された第２筐体を含む画像の第２筐体の形態に基づいて、比較的容易かつ短時間に２つの筐体の成す角度を検出することができる。
【００１９】
また本発明は、前記２つの筐体を折りたたんだときの第２筐体の内側に印を備え、
前記状態検出手段は、前記撮像手段によって撮像された印を含む画像の印の形態に基づいて、２つの筐体の成す角度を検出することを特徴とする。
【００２０】
本発明に従えば、モード切替手段によって検出モードに切替えられた場合は、状態検出手段が、撮像手段によって撮像された印を含む画像の印の形態、たとえば大きさ、形などに基づいて、２つの筐体の成す角度を検出する。たとえば、予め２つの筐体の成す角度を種々変えて、撮像手段で撮像した印を含む画像をサンプル画像として記憶させておき、検出モードのときに撮像手段によって撮像された印を含む画像と、予め記憶されているサンプル画像とを比較する。前記サンプル画像の印の形態と前記印を含む画像の印の形態とが一致した場合、一致したサンプル画像を撮像したときの角度を２つの筐体の成す角度として検出する。
【００２１】
前述のように、前記サンプル画像の印の形態と前記印を含む画像の印の形態とが一致するか否かを判断するだけで、２つの筐体の成す角度を検出することができるので、撮像手段によって撮像された第２筐体を含む画像の第２筐体の形態に基づいて２つの筐体の成す角度を検出するときよりも、さらに容易かつ短時間に２つの筐体の成す角度を検出することができる。
【００２２】
また本発明は、前記状態検出手段は、前記撮像手段によって撮像された画像に基づいて携帯型電子機器の周囲の明るさを検出することを特徴とする。
【００２３】
本発明に従えば、モード切替手段によって検出モードに切替えられた場合は、状態検出手段が、撮像手段によって撮像された画像に基づいて、携帯型電子機器の周囲の明るさを検出する。たとえば、予め求めた基準画像の輝度値と、検出モードのときに撮像手段によって撮像された画像に基づいて求めた撮像画像の輝度値とを比較する。撮像画像の輝度値が基準画像の輝度値よりも大きい場合は、周囲は明るいと検出し、撮像画像の輝度値が基準画像の輝度値よりも小さい場合は、周囲は暗いと検出する。
【００２４】
前述のように、撮像画像の輝度値と基準画像の輝度値とを比較して大小関係を判断するだけで、携帯型電子機器の周囲の明るさを検出することができるので、撮像手段によって撮像された画像に基づいて、比較的容易かつ短時間に携帯型電子機器の周囲の明るさを検出することができる。
【００２５】
また本発明は、前記２つの筐体の少なくともいずれか一方筐体に設けられ、画像を表示する表示手段と、
前記状態検出手段によって検出された携帯型電子機器の状態に基づいて表示手段を照明する照明手段の発光光量を調整する光量調整手段、および前記状態検出手段によって検出された携帯型電子機器の状態に基づいて表示手段の視覚認識性に関するパラメータを調整するパラメータ調整手段の少なくともいずれか一方とを備えることを特徴とする。
【００２６】
本発明に従えば、携帯型電子機器に光量調整手段が備えられている場合は、光量調整手段が、状態検出手段によって検出された携帯型電子機器の状態に基づいて照明手段の発光光量を調整する。たとえば、状態検出手段によって携帯型電子機器の開閉状態が検出された場合の光量調整手段は、携帯型電子機器が開いている状態が検出された場合は、照明手段の発光光量が大きくなるように調整し、携帯型電子機器が閉じている状態が検出された場合は、照明手段の発光光量が小さくなるように調整する。携帯型電子機器が開いている状態で照明手段の発光光量が大きくなるように調整することによって、ユーザは表示手段に表示される画像を視覚認識しやすくなる。携帯型電子機器が閉じている状態で照明手段の発光光量が小さくなるように調整することによって、携帯型電子機器の消費電力を抑えることができる。
【００２７】
また、状態検出手段によって２つの筐体の成す角度が検出された場合の光量調整手段は、検出された２つの筐体の成す角度が小さくなるに従って、照明手段の発光光量が小さくなるように調整し、検出された２つの筐体の成す角度が大きくなるに従って、照明手段の発光光量が大きくなるように調整する。照明手段の発光光量が大きくなるように調整することによって、ユーザは表示手段に表示される画像を視覚認識しやすくなる。照明手段の発光光量が小さくなるように調整することによって、携帯型電子機器の消費電力を抑えることができる。
【００２８】
また、状態検出手段によって携帯型電子機器の周囲の明るさが検出された場合の光量調整手段は、周囲が暗いと検出された場合は、照明手段の発光光量が大きくなるように調整し、周囲が明るいと検出された場合は、照明手段の発光光量が小さくなるように調整する。
【００２９】
また携帯型電子機器にパラメータ調整手段が備えられている場合は、パラメータ調整手段が、状態検出手段によって検出された携帯型電子機器の状態に基づいて表示手段の視覚認識性に関するパラメータを調整する。たとえば状態検出手段によって携帯型電子機器の開閉状態が検出された場合のパラメータ調整手段は、携帯型電子機器が開いている状態が検出された場合は、視覚認識性に関するパラメータである輝度を大きな値に調整し、携帯型電子機器が閉じている状態が検出された場合は、輝度を小さな値に調整する。携帯型電子機器が開いている状態で輝度を大きな値に調整することによって、ユーザは表示手段に表示される画像を視覚認識しやすくなる。携帯型電子機器が閉じている状態で輝度を小さな値に調整することによって、携帯型電子機器の消費電力を抑えることができる。
【００３０】
また、状態検出手段によって２つの筐体の成す角度が検出された場合のパラメータ調整手段は、検出された２つの筐体の成す角度が小さくなるに従って、視覚認識性に関するパラメータである輝度を小さな値に調整し、検出された２つの筐体の成す角度が大きくなるに従って、輝度を大きな値に調整する。視覚認識性に関するパラメータを大きな値に調整することによって、ユーザは表示手段に表示される画像を視覚認識しやすくなる。また輝度を小さな値に調整することによって、携帯型電子機器の消費電力を抑えることができる。
【００３１】
また、状態検出手段によって携帯型電子機器の周囲の明るさが検出された場合のパラメータ調整手段は、周囲が暗いと検出された場合は、パラメータ調整手段が視覚認識性に関するパラメータである輝度を大きな値に調整することによって、表示手段における表示が淡くなる。また周囲が明るいと検出された場合は、パラメータ調整手段が輝度を小さな値に調整することによって、表示手段における表示が濃くなる。前述のように、光量調整手段が、携帯型電子機器の周囲の明るさに基づいて照明手段の発光光量を調整し、パラメータ調整手段が、携帯型電子機器の周囲の明るさに基づいて表示手段の視覚認識性に関するパラメータを調整することによって、ユーザは表示手段に表示される画像を視覚認識しやすくなる。
【００３２】
【発明の実施の形態】
図１は、本発明の第１の実施形態である携帯電話機１００の電気的構成を示すブロック図である。携帯電話機１００は、アンテナ１、通信部２、キー操作部３、主制御部４、カメラ部９、モータ部１０、パラメータ調整部１１、表示部１２、光量調整部１３および照明部１４を備えて構成される。また主制御部４は、ＣＰＵ（Ｃｅｎｔｒａｌ　Ｐｒｏｃｅｓｓｉｎｇ　Ｕｎｉｔ：中央演算処理装置）５、ＲＯＭ（Ｒｅａｄ　Ｏｎｌｙ
Ｍｅｍｏｒｙ）６、ＲＡＭ（Ｒａｎｄｏｍ　Ａｃｃｅｓｓ　Ｍｅｍｏｒｙ）７およびＩ／Ｏ（Ｉｎｐｕｔ／Ｏｕｔｐｕｔ：入力／出力）回路８を備えて構成される。
【００３３】
アンテナ１は、基地局と無線電波の送受信を行う。通信部２は、アンテナ１を介して基地局と無線通信を行い、音声データ、文字データおよび画像データなどを送受信する。受信時は、基地局からアンテナ１を介して受信したデータを復調し、所定の通信プロトコルに基づいて主制御部４のＣＰＵ５に送る。送信時は、主制御部４から送られてきた文字データおよび画像データなどを変調して増幅し、所定の通信プロトコルに基づいてアンテナ１を介して基地局に送信する。キー操作部３は、ダイヤル発信、電子メールの送受信、インターネット接続などを行うためのキーを備えて構成される。キー操作部３は、撮像モードと検出モードとを切替えるモード切替え手段である。
【００３４】
ＣＰＵ５は、ＲＯＭ６に記憶されているプログラムに基づいて、携帯電話機１００を構成する各部位を制御する。ここでＣＰＵ５は、カメラ部９によって撮像された画像に基づいて携帯電話機１００の状態を検出する状態検出手段である。
【００３５】
ＲＯＭ６は、携帯電話機１００の動作に必要なプログラム、携帯電話機１００の開閉状態および携帯電話機１００の周囲の明るさを検出するためのプログラムならびにカメラ部９で撮像した画像などを記憶する。ＲＡＭ７は、たとえばカメラ部９から連続的に送られてくる画像データを一時的に記憶する。詳細に述べると、ＲＡＭ７に記憶される画像データのうち、時間的に古い画像データは消去、あるいは時間的に古い画像データに時間的に最も新しい画像データが上書きされることによって、ＲＡＭ７には一時的に画像データが記憶される。ＲＯＭ６およびＲＡＭ７は、記憶手段である。Ｉ／Ｏ回路８は、主制御部４と、カメラ部９、モータ部１０、パラメータ調整部１１および光量調整部１３との信号の入出力制御を行う。
【００３６】
カメラ部９は、撮像レンズおよび電荷結合素子（Ｃｈａｒｇｅ　Ｃｏｕｐｌｅｄ　Ｄｅｖｉｃｅ；略称：ＣＣＤ）などの撮像素子を備える撮像手段である。カメラ部９は、画像を撮像する場合、携帯電話機１００の状態を検出する場合に用いられる。モータ部１０は、カメラ部９の位置を調整して撮像レンズの光軸方向を変位させる。
【００３７】
パラメータ調整部１１は、輝度などの表示部１２の視覚認識性に関するパラメータ（以下、「表示パラメータ」と表記する。）を調整するパラメータ調整手段である。表示部１２は、たとえば液晶ディスプレイおよびエレクトロルミネッセンスディスプレイなどから構成され、文字、静止画像および動画像などの画像を表示する表示手段である。光量調整部１３は、電流および電圧を変えることによって、照明部１４の発光光量を調整する光量調整手段である。照明部１４は、たとえば発光ダイオード（Ｌｉｇｈｔ　Ｅｍｉｔｔｉｎｇ　Ｄｉｏｄｅ；略称：ＬＥＤ）、蛍光灯などから構成され、表示部１２の背面から光を照らすことによって明るさを補うバックライトとして機能する照明手段である。
【００３８】
図２は、携帯電話機１００を開いた状態で、表示部１２が配置されている内側（正面側）から見た斜視図である。図３は、第１筐体１６の一部を切り欠いて示す斜視図である。携帯電話機１００は、図２に示すように、大略的に扁平かつ直方体状の第１筐体１６と第２筐体１７とが長手方向一側部でヒンジ部１８を介して角変位可能に連結されて構成される。すなわち、携帯電話機１００は、第１筐体１６と第２筐体１７とをヒンジ部１８の角変位軸線Ｌ１まわりに角変位させることによって開閉可能に構成される折りたたみ型携帯電話機である。なお、携帯電話機１００の２つの筐体１６，１７の成す最大の角度は、筐体の形状、ヒンジ部１８の種類などで決まり、本実施形態では約１８０度になるように構成されている。
【００３９】
表示部１２は、２つの筐体１６，１７を折りたたんだときの内側に位置するように、第１筐体１６に配置される。キー操作部３は、２つの筐体１６，１７を折りたたんだときの内側に位置するように、第２筐体１７に配置される。カメラ部９は、大略的に円柱状に形成され、携帯電話機１００を開いた状態で正面側から見たとき、第１筐体１６の右上端部に配置される。印１５は、携帯電話機１００を開いた状態で正面側から見たとき、第２筐体１７の内側の右下端部に配置され、携帯電話機１００の開閉状態の検出時に用いられる。カメラ部９および印１５は、第１筐体１６と第２筐体１７とを折りたたんだときの内側になる面同士が密接するように折りたたまれたときに対向するようにそれぞれ配置される。
【００４０】
カメラ部９の一側部には、モータ部１０の回転軸１０ａが接続され、回転軸１０ａは、図３に示すように、カメラ部９の撮像レンズの光軸Ｌ１０と直交し、かつヒンジ部１８の角変位軸線Ｌ１と平行になっている。ＣＰＵ５からの命令を受けてモータ部１０が回転駆動することによって、カメラ部９がモータ部１０の回転軸１０ａの軸線まわりに角変位方向２１に沿って角変位可能に構成されている。
【００４１】
携帯電話機１００は、携帯電話機１００の開閉状態を、カメラ部９を用いて検出し、その検出結果に基づいて表示部１２および照明部１４の調整を行う。
【００４２】
携帯電話機１００は、撮像モードと検出モードの２種類のモードで動作し、たとえばキー操作部３の所定のキーを押下することによって各モードを切替えて、動作する。撮像モードでは、カメラ部９によって画像を撮像し、この撮像された画像をＲＯＭ６に記憶する。検出モードでは、カメラ部９によって第２筐体を撮像し、この撮像された第２筐体の画像に基づいてＣＰＵ５が、携帯電話機１００の開閉状態を検出する。携帯電話機１００は、通常、検出モードに設定されており、検出モードに設定されているときに、たとえばユーザが、予めキー操作部３に設けられている撮像キーを押下することによって、検出モードから撮像モードへ切替えるようにしている。また撮像モードに設定されているときに、たとえばユーザが、予めキー操作部３に設けられている撮像終了キーを押下することによって、撮像モードから検出モードへ切替えるようにしている。
【００４３】
従来の携帯電話機において、検出モードでは、たとえばセンサまたはスイッチなどの検出専用の部品を用いて携帯電話機の開閉状態を検出している。携帯電話機１００では、検出モードに切替えられた場合に、従来、撮像モードでのみ動作していたカメラ部９が動作し、ＣＰＵ５は、このカメラ部９によって撮像された画像に基づいて携帯電話機１００の開閉状態を検出する。これによって、開閉状態を検出するための専用の部品を、携帯電話機１００に新たに備える必要がないので、携帯電話機１００全体の部品点数を増やすことなく、携帯電話機１００の開閉状態を検出することができる。
【００４４】
携帯電話機１００の開閉状態の検出について詳細に説明する。なお、以下に説明する検出処理は、検出モードのときにのみ行われ、撮像モードのときには行われない。本実施形態では、携帯電話機１００における第１筐体１６と第２筐体１７との成す角度が０度以上９０度未満の状態を、携帯電話機１００が閉じている状態とし、第１筐体１６と第２筐体１７との成す角度が９０度以上最大開角度以下の状態を、携帯電話機１００が開いている状態とする。ここで、最大開角度とは、第１筐体１６と第２筐体１７との成す最大の角度のことであり、たとえば携帯電話機１００の最大開角度は１８０度である。
【００４５】
携帯電話機１００の開閉状態を検出するためには、たとえば携帯電話機１００の出荷前に、カメラ部９で印１５のサンプル画像を撮像して、予めＲＯＭ６などに記憶しておく必要がある。サンプル画像の撮像手順としては、まず印１５を撮像するためのカメラ部９の位置を、予め定める位置に固定する。次に、カメラ部９を固定した状態で２つの筐体１６，１７の成す角度を変えて印１５を撮像する。２つの筐体１６，１７の成す角度が０度以上９０度未満の範囲内で２つの筐体１６，１７の成す角度を、たとえば１０度ずつ変えて検出用のサンプル画像を撮像する。撮像した検出用のサンプル画像は、信号処理を施すことによって検出用のサンプルデータにした後、携帯電話機１００のＲＯＭ６に記憶しておく。
【００４６】
携帯電話機１００の開閉状態を検出するには、携帯電話機１００が開いている状態または携帯電話機１００が閉じている状態のいずれかの状態が検出できればよい。そこで本実施形態では、携帯電話機１００が閉じている状態を検出することにする。たとえば携帯電話機１００は、カメラ部９を、予め定める位置として、カメラ部９の撮像レンズの光軸Ｌ１０方向と表示部１２の表示面に対して垂直な方向とが平行になるような位置に固定したとき、２つの筐体１６，１７の成す角度が０度以上９０度未満であれば、撮像した画像内に印１５が写り、２つの筐体１６，１７の成す角度が９０度以上１８０度以下であれば、撮像した画像内に印１５が写らないように構成している。したがって、このような位置にカメラ部９を固定し、撮像した画像内に印１５が写っていれば、携帯電話機１００が閉じている状態であることが検出できる。また、撮像した画像内に印１５が写っていなければ、携帯電話機１００が開いている状態であることが検出できる。
【００４７】
前述のように、予め２つの筐体１６，１７を折りたたんだときの第２筐体１７の内側に備えられた印１５が、カメラ部９によって撮像された画像に写っているか否かを検出するだけで、携帯電話機１００の開閉状態を検出することができるので、比較的容易かつ短時間に携帯電話機１００の開閉状態を検出することができる。
【００４８】
検出モードで携帯電話機１００の開閉状態を検出する場合は、まずカメラ部９で画像を撮像する。画像の撮像前には、カメラ部９の位置が、前述の検出用のサンプル画像を撮像したときと同じ位置になるように、カメラ駆動部１０によってカメラ部９の位置を調整する。また、携帯電話機１００を閉じている状態、すなわち２つの筐体１６，１７の成す角度が０度以上９０度未満の状態において、比較的小さな角度、たとえば３０度の場合では光量が不足して撮像することができない場合があるので、印１５が正常に撮像できるようにしておく必要がある。そこで、本実施形態では、たとえば印１５に蛍光塗料を塗布して発光させる、またはキー操作部３の背面から光を照らすバックライトによってキー操作部３のキーを発光させて、いずれか１つのキーを印１５として用いるようにする。
【００４９】
また、検出モードのときに、携帯電話機１００の開閉状態を検出するときの画像を撮像するタイミングについては、本実施形態において、ＣＰＵ５が、所定の時間間隔おきにカメラ部９に対して撮像信号の送信を要求する指示を出しているとする。ここで、所定の時間間隔は、たとえばＣＰＵ５の内部または別途設けられるタイマーで計測すればよい。また、検出モードのときに、前記画像を撮像するタイミングについては、ユーザがキー操作部３のキーのいずれかを押下したときに、ＣＰＵ５がカメラ部９に対して撮像信号の送信を要求する指示を出すようにしてもよい。
【００５０】
図４は、携帯電話機１００の開閉状態に基づいて表示部１２および照明部１４の調整を行う処理を示すフローチャートである。携帯電話機１００は、検出モードで動作しているとする。
【００５１】
ステップＡ１において、ＣＰＵ５から送信された撮像信号の送信を要求する指示を受信したカメラ部９は、画像を撮像し、ＣＰＵ５に対して撮像信号を送信する。画像の撮像時には、カメラ部９の位置を、サンプル画像を撮像したときの位置、すなわちカメラ部９の撮像レンズの光軸Ｌ１０方向と表示部１２の表示面に対して垂直な方向とが平行になるような位置（以下、「初期位置」という。）に固定して撮像する。
【００５２】
ステップＡ２では、ＣＰＵ５がカメラ部９から送信されてきた撮像信号を受信したか否かを判断する。ステップＡ２において、ＣＰＵ５がカメラ部９から送信されてきた撮像信号を受信した場合はステップＡ３に進む。ＣＰＵ５がカメラ部９から送信されてきた撮像信号を受信していない場合は、ＣＰＵ５が撮像信号を受信するまでステップＡ２の判断を繰り返し行う。
【００５３】
ステップＡ３において、ＣＰＵ５は受信した撮像信号に対してアナログ／デジタル変換処理などの信号処理を施して画像データを作成する。ステップＡ４では、初期位置にカメラ部９を固定して撮像したときの画像データ（以下、「初期位置画像データ」という。）と、前述のように撮像して予め携帯電話機１００のＲＯＭ６に記憶しているサンプルデータとを比較し、初期位置にカメラ部９を固定して撮像した画像（以下、「初期位置画像」という。）内に印１５が写っているか否かを判断する。
【００５４】
この判断を行うにあたって、サンプルデータおよび初期位置画像データの所定の領域、すなわちサンプルデータの中で少なくとも印１５が写っている領域とその領域に対応する初期位置画像データの領域とがどれだけ似ているかを定量的に示す類似度を求めてマッチングを行う。ただし、携帯電話機１００は、ユーザによって持ち運ばれて利用されるので、カメラ部９で画像を撮像し、初期位置画像内に印１５が写っていたとしても、初期位置画像の中の印１５および印１５近傍の第２筐体１７以外の背景は、画像を撮像するたびに変化してしまう。したがって、初期位置画像の背景とサンプル画像の背景とは著しく異なるので、背景を含めた画像データ全体のマッチングを行うことはできない。そこで本実施形態では、マッチングを行う場合、初期位置画像データの中でも、マッチングの対象となるサンプルデータの印１５および第２筐体１７が写っている領域と同じ位置の領域を用いて類似度を求める。なお、サンプルデータが変わると、印１５および第２筐体１７が写っている領域も変わるので、マッチングの対象となるサンプルデータが変わるごとに前記領域を変えてマッチングを行う。これによって、背景の影響を受けずにマッチングを行うことができる。
【００５５】
求めた類似度が予め定められた閾値以上であれば、初期位置画像データとサンプルデータとの所定の領域は一致していると判断する。求めた類似度が予め定められた閾値以下であれば、初期位置画像データとサンプルデータとの所定の領域は一致していないと判断する。
【００５６】
初期位置画像データとサンプルデータとの所定の領域が一致していると判断された場合は、初期位置画像内に印１５が写っていると判断する。初期位置画像データとサンプルデータとの所定の領域が一致していないと判断された場合は、初期位置画像内に印１５が写っていないと判断する。
【００５７】
ステップＡ４において、初期位置画像内に印１５が写っていると判断された場合には、ステップＡ５に進む。ステップＡ５では、初期位置画像内に印１５が写っているという判断に基づいて、２つの筐体１６，１７の成す角度が０度以上９０度未満の状態、すなわち携帯電話機１００が閉じている状態であると検出し、ステップＡ７に進む。
【００５８】
またステップＡ４において、初期位置画像内に印１５が写っていないと判断された場合には、ステップＡ６に進む。ステップＡ６では、初期位置画像内に印１５が写っていないという判断に基づいて、２つの筐体１６，１７の成す角度が９０度以上最大開角度以下の状態、すなわち携帯電話機１００が開いている状態であると検出し、ステップＡ８に進む。本実施形態では、ステップＡ５およびステップＡ６で得られた携帯電話機１００の開閉状態の検出結果に基づいて、表示部１２および照明部１４の調整を行う。
【００５９】
ステップＡ７では、携帯電話機１００が閉じている場合、ユーザは表示部１２を見ないと考えられるので、照明部１４の発光光量が小さくなるように調整し、かつ表示パラメータである輝度を小さな値に調整する。発光光量を小さくし、かつ輝度を小さくすることによって、携帯電話機１００の消費電力を抑えることができる。
【００６０】
ステップＡ８において、ユーザは表示部１２を見ていると考えられるので、照明部１４の発光光量が大きくなるように調整し、かつ表示パラメータである輝度を大きな値に調整する。これによって、ユーザは表示部１２に表示される画像を視覚認識しやすくなる。
【００６１】
本実施形態では、カメラ部９によって撮像された画像に印１５が写っているか否かに基づいて、ＣＰＵ５が携帯電話機１００の開閉状態を検出しているけれども、カメラ部９によって撮像された画像に第２筐体が写っているか否かに基づいて、ＣＰＵ５が携帯電話機１００の開閉状態を検出するようにしてもよい。
【００６２】
本発明の第２の実施形態を説明する。第２の実施形態では、携帯電話機１００の第１筐体１６と第２筐体１７との成す角度を、カメラ部９を用いて検出し、その検出結果に基づいて表示部１２および照明部１４の調整を行う。第２の実施形態の携帯電話機１００の構成および機能は、第１の実施形態の携帯電話機１００と同一であるので、構成および機能の説明を省略する。また第２の実施形態の携帯電話機と第１の実施形態の携帯電話機とは、同一の構成であるので、共に、同一の参照符号「１００」を付す。
【００６３】
携帯電話機１００において、第１筐体１６と第２筐体１７との成す角度を検出するためには、たとえば携帯電話機１００の出荷前に、カメラ部９で２つの筐体１６，１７の成す角度が０度以上最大開角度以下における印１５のサンプル画像を撮像して、予めＲＯＭ６などに記憶しておく必要がある。ここで、最大開角度とは、第１筐体１６と第２筐体１７との成す最大の角度のことであり、たとえば携帯電話機１００の最大開角度は１８０度である。サンプル画像の撮像手順としては、まず印１５を撮像するためのカメラ部９の位置を、予め定める位置に固定する。次に、カメラ部９を固定した状態で２つの筐体１６，１７の成す角度を変えて印１５を撮像する。本実施形態では、２つの筐体１６，１７の成す角度が０度以上９０度未満および９０度以上１８０度以下の２つの範囲に分け、それぞれの範囲内で２つの筐体１６，１７の成す角度を種々変えて、検出用のサンプル画像を撮像する。
【００６４】
２つの筐体１６，１７の成す角度が０度以上９０度未満の範囲のサンプル画像を撮像するときには、まず印１５が写るように、カメラ駆動部１０によってカメラ部９を、カメラ部９の撮像レンズの光軸Ｌ１０方向と表示部１２の表示面に対して垂直な方向とが平行になるような位置に調整して固定する。次に、カメラ部９を固定した状態で、２つの筐体１６，１７の成す角度を、たとえば１０度ずつ変えて検出用のサンプル画像を撮像する。２つの筐体１６，１７の成す角度が０度以上９０度未満の範囲内で撮像した検出用のサンプル画像（以下、「第１サンプル画像」という。）は、信号処理を施すことによって検出用のサンプルデータにした後、第１サンプルデータとして携帯電話機１００のＲＯＭ６に記憶する。また、第１サンプル画像を撮像したときの２つの筐体１６，１７の成す角度を、角度データとして第１サンプルデータに関連付けて、携帯電話機１００のＲＯＭ６に記憶する。
【００６５】
２つの筐体１６，１７の成す角度が９０度以上１８０度以下の範囲のサンプル画像を撮像するときには、まず印１５が写るように、カメラ駆動部１０によってカメラ部９を、２つの筐体１６，１７の成す角度が０度以上９０度未満の範囲内で印１５を撮像したときの位置よりも下向きとなる所定の位置に調整して固定する。次に、カメラ部９を固定した状態で、２つの筐体１６，１７の成す角度を、たとえば１０度ずつ変えて検出用のサンプル画像を撮像する。２つの筐体１６，１７の成す角度が９０度以上１８０度以下の範囲内で撮像した検出用のサンプル画像（以下、「第２サンプル画像」という。）は、信号処理を施すことによって検出用のサンプルデータにした後、第２サンプルデータとして携帯電話機１００のＲＯＭ６に記憶する。また、第２サンプル画像を撮像したときの２つの筐体１６，１７の成す角度を、角度データとして第２サンプルデータに関連付けて、携帯電話機１００のＲＯＭ６に記憶する。さらに、２つの筐体１６，１７の成す最大の角度、すなわち本実施形態では１８０度を最大開角度データとしてＲＯＭ６に記憶する。
【００６６】
本実施形態において、検出モードに切替えられた場合は、ＣＰＵ５が、カメラ部９によって撮像された印１５を含む画像の印１５の形態に基づいて、２つの筐体１６，１７の成す角度を検出する。画像に含まれる印１５の形態とは、たとえば印１５の色、形、大きさなどである。２つの筐体１６，１７の成す角度を検出する場合は、予め２つの筐体１６，１７の成す角度を種々変えて、カメラ部９で撮像した印１５を含むサンプル画像と、検出モードのときにカメラ部９によって撮像された印１５を含む画像とを比較する。サンプル画像の印１５の形態と印１５を含む画像の印１５の形態とが一致した場合、一致したサンプル画像を撮像したときの角度を２つの筐体１６，１７の成す角度として検出する。
【００６７】
前述のように、サンプル画像の印１５の形態と印１５を含む画像の印１５の形態とが一致するか否かを判断するだけで、２つの筐体１６，１７の成す角度を検出することができるので、比較的容易かつ短時間に２つの筐体１６，１７の成す角度を検出することができる。
【００６８】
検出モードで携帯電話機１００における２つの筐体１６，１７の成す角度を検出する場合は、カメラ部９で画像を撮像する。画像の撮像前には、カメラ部９の位置が、前述の第１サンプル画像または第２サンプル画像を撮像したときと同じ位置になるように、カメラ駆動部１０によってカメラ部９の位置を調整する。
【００６９】
また、検出モードのときに、携帯電話機１００における２つの筐体１６，１７の成す角度を検出するときの画像を撮像するタイミングについては、本実施形態において、ＣＰＵ５が、所定の時間間隔おきにカメラ部９に対して撮像信号の送信を要求する指示を出しているとする。ここで、所定の時間間隔は、たとえばＣＰＵ５の内部または別途設けられるタイマーで計測すればよい。また、検出モードのときに、前記画像を撮像するタイミングについては、ユーザがキー操作部３のキーのいずれかを押下したときに、ＣＰＵ５がカメラ部９に対して撮像信号の送信を要求する指示を出すようにしてもよい。
【００７０】
図５は、第２の実施形態における携帯電話機１００の２つの筐体１６，１７の成す角度に基づいて表示部１２および照明部１４の調整を行う処理を示すフローチャートである。携帯電話機１００は、検出モードで動作しているとする。ステップＢ１において、ＣＰＵ５から送信された撮像信号の送信を要求する指示を受信したカメラ部９は、画像を撮像し、ＣＰＵ５に対して撮像信号を送信する。画像の撮像時には、カメラ部９の位置を、第１サンプル画像を撮像したときの位置に固定して撮像する。すなわち、カメラ部９の撮像レンズの光軸Ｌ１０方向と表示部１２の表示面に対して垂直な方向とが平行になるような位置（以下、「初期位置」という。）に固定して撮像する。
【００７１】
ステップＢ２では、ＣＰＵ５がカメラ部９から送信されてきた撮像信号を受信したか否かを判断する。ステップＢ２において、ＣＰＵ５がカメラ部９から送信されてきた撮像信号を受信した場合はステップＢ３に進む。ＣＰＵ５がカメラ部９から送信されてきた撮像信号を受信していない場合は、ＣＰＵ５が撮像信号を受信するまでステップＢ２の判断を繰り返し行う。
【００７２】
ステップＢ３において、ＣＰＵ５は受信した撮像信号に対してアナログ／デジタル変換処理などの信号処理を施して画像データを作成する。ステップＢ４では、初期位置にカメラ部９を固定して撮像したときの画像データ（以下、「初期位置画像データ」という。）と、前述のように撮像して予め携帯電話機１００のＲＯＭ６に記憶している第１サンプルデータとを比較し、初期位置にカメラ部９を固定して撮像した画像（以下、「初期位置画像」という。）内に印１５が写っているか否かを判断する。
【００７３】
この判断を行うにあたって、第１サンプルデータおよび初期位置画像データの所定の領域、すなわち第１サンプルデータの中で少なくとも印１５が写っている領域とその領域に対応する初期位置画像データの領域とがどれだけ似ているかを定量的に示す類似度を求めてマッチングを行う。ただし、携帯電話機１００は、ユーザによって持ち運ばれて利用されるので、カメラ部９で画像を撮像し、初期位置画像内に印１５が写っていたとしても、初期位置画像の中の印１５および印１５近傍の第２筐体１７以外の背景は、画像を撮像するたびに変化してしまう。したがって、初期位置画像の背景と第１サンプル画像の背景とは著しく異なるので、背景を含めた画像データ全体のマッチングを行うことはできない。そこで本実施形態では、マッチングを行う場合、初期位置画像データの中でも、マッチングの対象となる第１サンプルデータの印１５および第２筐体１７が写っている領域と同じ位置の領域を用いて類似度を求める。なお、第１サンプルデータが変わると、印１５および第２筐体１７が写っている領域も変わるので、マッチングの対象となる第１サンプルデータが変わるごとに前記領域を変えてマッチングを行う。これによって、背景の影響を受けずにマッチングを行うことができる。
【００７４】
求めた類似度が予め定められた閾値以上であれば、初期位置画像データと第１サンプルデータとの所定の領域は一致していると判断する。求めた類似度が予め定められた閾値以下であれば、初期位置画像データと第１サンプルデータとの所定の領域は一致していないと判断する。
【００７５】
初期位置画像データと第１サンプルデータとの所定の領域が一致していると判断された場合は、初期位置画像内に印１５が写っていると判断する。初期位置画像データと第１サンプルデータとの所定の領域が一致していないと判断された場合は、初期位置画像内に印１５が写っていないと判断する。ステップＢ４において、撮像した画像内に印１５が写っていると判断された場合には、ステップＢ５に進む。
【００７６】
ステップＢ５では、２つの筐体１６，１７の成す角度を検出する。本実施形態では、ステップＢ４において、初期位置画像内に印１５が写っているか否かを判断するために、マッチングを行っている。携帯電話機１００のＲＯＭ６には、カメラ部９を初期位置と同じ位置に固定して画像を撮像したときの２つの筐体１６，１７の成す角度が角度データとして、予め第１サンプルデータと関連付けて記憶されている。したがって、ステップＢ４で行ったマッチングにおいて、ステップＢ３で作成した初期位置画像データと一致した第１サンプルデータに対応する角度データから２つの筐体１６，１７の成す角度を検出する。
【００７７】
ステップＢ４において、初期位置画像内に印１５が写っていないと判断された場合には、ステップＢ６に進む。ステップＢ６では、カメラ部９の位置が、初期位置よりも下向きとなる所定の位置（以下、「所定位置」という。）になるように、カメラ駆動部１０によってカメラ部９の位置を調整する。次にステップＢ１へ戻り、所定位置にカメラ部９を固定した状態で画像を撮像する。以後の処理は、前述の処理と同様に行う。ここでは、ステップＢ４まで処理が進んだと想定する。
【００７８】
ステップＢ４では、所定位置にカメラ部９を固定して撮像したときの画像データ（以下、「所定位置画像データ」という。）と、前述のように撮像して予め携帯電話機１００のＲＯＭ６に記憶している第２サンプルデータとを比較し、所定位置にカメラ部９を固定して撮像した画像（以下、「所定位置画像」という。）内に印１５が写っているか否かを判断する。この判断を行うにあたって、前述の初期位置画像内に印１５が写っているか否かを判断したときと同様に、所定位置画像および第２サンプルデータの所定の領域の類似度を求めてマッチングを行う。
【００７９】
求めた類似度が予め定められた閾値以上であれば、所定位置画像データと第２サンプルデータとの所定の領域は一致していると判断する。求めた類似度が予め定められた閾値以下であれば、所定位置画像データと第２サンプルデータとの所定の領域は一致していないと判断する。
【００８０】
所定位置画像データと第２サンプルデータとの所定の領域が一致していると判断された場合は、所定位置画像内に印１５が写っていると判断する。所定位置画像データと第２サンプルデータとの所定の領域が一致していないと判断された場合は、所定位置画像内に印１５が写っていないと判断する。所定位置画像内に印１５が写っていると判断された場合は、ステップＢ４のマッチングにおいて所定位置画像データと一致した第２サンプルデータに対応する角度データから、２つの筐体１６，１７の成す角度を検出する。所定位置画像内に印１５が写っていないと判断された場合は、第１筐体１６と第２筐体１７との成す角度が最大、つまり携帯電話機１００が最大開角度の状態であるとみなし、ＲＯＭ６に記憶している最大開角度データから角度を検出する。
【００８１】
ステップＢ７では、ステップＢ５において検出された２つの筐体１６，１７の成す角度に応じて、照明部１４の発光光量を適当な光量に調整し、かつ輝度などの表示部１２の視覚認識性に関するパラメータ（以下、「表示パラメータ」と表記する。）を適当な値に調整する。たとえば、検出された２つの筐体１６，１７の成す角度が小さければ小さいほど、ユーザは表示部１２を見ないと考えられるので、照明部１４の発光光量を小さくし、かつ表示パラメータである輝度を小さな値に調整する。発光光量を少なくし、かつ輝度を小さくすることによって、携帯電話機１００の消費電力を抑えることができる。
【００８２】
また、検出された２つの筐体１６，１７の成す角度が大きければ大きいほど、照明部１４の発光光量を大きくし、かつ表示パラメータである輝度を大きな値に調整する。これによって、ユーザは表示部１２に表示される画像を視覚認識しやすくなる。
【００８３】
本実施形態では、前述のように、カメラ部９を初期位置と所定位置の２箇所に固定して印１５を撮像しているけれども、カメラ部９を、２つの筐体１６，１７の成す角度が鋭角および鈍角のどちらの場合でも印１５が写るような最適な１つの位置に固定して、印１５を撮像するようにしてもよい。
【００８４】
また本実施形態では、カメラ部９によって撮像された印１５を含む画像の印１５の形態に基づいて、ＣＰＵ５が２つの筐体１６，１７の成す角度を検出しているけれども、カメラ部９によって撮像された第２筐体１７を含む画像の第２筐体１７の形態に基づいて、ＣＰＵ５が２つの筐体１６，１７の成す角度を検出するようにしてもよい。
【００８５】
本発明の第３の実施形態を説明する。第３の実施形態では、携帯電話機１００の周囲の明るさを、カメラ部９を用いて検出し、その検出結果に基づいて表示部１２および照明部１４の調整を行う。第３の実施形態の携帯電話機１００の構成および機能は、第１の実施形態の携帯電話機１００と同一であるので、構成および機能の説明を省略する。また第３の実施形態の携帯電話機と第１の実施形態の携帯電話機とは、同一の構成であるので、共に、同一の参照符号「１００」を付す。
【００８６】
携帯電話機１００の周囲の明るさを検出するためには、たとえば携帯電話機１００の出荷前に、カメラ部９で画像を撮像し、基準画像の輝度値を求めて、予めＲＯＭ６などに記憶しておく必要がある。また本実施形態において、携帯電話機１００の周囲の明るさの検出は、携帯電話機１００を開いているときに行うことにする。
【００８７】
基準画像の輝度値を求めるためには、まずカメラ部９の位置を固定して画像を撮像する。本実施形態では、たとえばカメラ部９を、カメラ部９の撮像レンズの光軸Ｌ１０方向と表示部１２の表示面に対して垂直な方向とが平行になるような位置に固定して撮像する。このようにして撮像した画像を基準画像として、基準画像の輝度値を求める。ここで、基準画像の輝度値は、たとえば基準画像における各画素の輝度値の総和値として求めてもよいし、総和値を画素数で除算した平均値として求めてもよい。また前記輝度値の総和値および平均値は、基準画像全体から求めてもよいし、基準画像のブロックごとに求めてもよい。本実施形態では、基準画像全体の輝度値の平均値を基準画像の輝度値として求め、求めた基準画像の輝度値を携帯電話機１００のＲＯＭ６に記憶する。
【００８８】
本実施形態において、検出モードに切替えられた場合は、ＣＰＵ５が、カメラ部９によって撮像された画像に基づいて、携帯電話機１００の周囲の明るさを検出する。たとえば、予め求めた基準画像の輝度値と、検出モードのときにカメラ部９によって撮像された画像に基づいて求めた撮像画像の輝度値とを比較する。撮像画像の輝度値が基準画像の輝度値よりも大きい場合は、周囲は明るいと検出し、撮像画像の輝度値が基準画像の輝度値よりも小さい場合は、周囲は暗いと検出する。
【００８９】
前述のように、撮像画像の輝度値と基準画像の輝度値との大小関係を判断するだけで、携帯電話機１００の周囲の明るさを検出することができるので、比較的容易かつ短時間に携帯型電子機器の周囲の明るさを検出することができる。
【００９０】
検出モードで携帯電話機１００の周囲の明るさを検出する場合、カメラ部９で画像を撮像する。画像の撮像前には、カメラ部９の位置が、前述の基準画像を撮像したときと同じ位置になるように、カメラ駆動部１０によってカメラ部９の位置を調整する。なお、撮像画像の輝度値と比較する輝度値は、基準画像から算出する必要はなく、所定の条件で設定された値であればよい。
【００９１】
また、検出モードのときに、携帯電話機１００の周囲の明るさを検出するときの画像を撮像するタイミングについては、本実施形態において、ＣＰＵ５が、所定の時間間隔おきにカメラ部９に対して撮像信号の送信を要求する指示を出しているとする。ここで、所定の時間間隔は、たとえばＣＰＵ５の内部または別途設けられるタイマーで計測すればよい。また、検出モードのときに、前記画像を撮像するタイミングについては、ユーザがキー操作部３のキーのいずれかを押下したときに、ＣＰＵ５がカメラ部９に対して撮像信号の送信を要求する指示を出すようにしてもよい。
【００９２】
図６は、第３の実施形態における携帯電話機１００の周囲の明るさに基づいて表示部１２および照明部１４の調整を行う処理を示すフローチャートである。携帯電話機１００は、検出モードで動作しているとする。
【００９３】
ステップＣ１において、ＣＰＵ５から送信された撮像信号の送信を要求する指示を受信したカメラ部９は、画像を撮像し、ＣＰＵ５に対して撮像信号を送信する。画像の撮像時には、カメラ部９の位置を、基準画像を撮像したときの位置、すなわちカメラ部９の撮像レンズの光軸Ｌ１０方向と表示部１２の表示面に対して垂直な方向とが平行になるような位置（以下、「初期位置」という。）に固定して撮像する。
【００９４】
ステップＣ２では、ＣＰＵ５がカメラ部９から送信されてきた撮像信号を受信したか否かを判断する。ステップＣ２において、ＣＰＵ５がカメラ部９から送信されてきた撮像信号を受信した場合はステップＣ３に進む。ＣＰＵ５がカメラ部９から送信されてきた撮像信号を受信していない場合は、ＣＰＵ５が撮像信号を受信するまでステップＣ２の判断を繰り返し行う。
【００９５】
ステップＣ３において、ＣＰＵ５は受信した撮像信号に対してアナログ／デジタル変換処理などの信号処理を施して画像データを作成する。ステップＣ４では、ステップＣ２で作成した画像データに基づいて、基準画像の輝度値を求めたときと同じ方法で輝度値を求める。本実施形態では、撮像された画像全体の輝度値の平均値（以下、「撮像画像の輝度値」という。）を求める。
【００９６】
ステップＣ５では、撮像画像の輝度値と予めＲＯＭ６に記憶している基準画像の輝度値とを比較して、撮像画像の輝度値が基準画像の輝度値よりも大きいか否かを判断する。撮像画像の輝度値が基準画像の輝度値よりも大きい場合は、周囲は明るいと検出する。撮像画像の輝度値が基準画像の輝度値よりも小さい場合は、周囲は暗いと検出する。
【００９７】
ステップＣ５において、撮像画像の輝度値が基準画像の輝度値よりも小さいと判断された場合、すなわち周囲が暗い場合は、ステップＣ６に進む。ステップＣ６では、照明部１４の発光光量を大きくする。また、輝度などの表示部１２の視覚認識性に関するパラメータ（以下、「表示パラメータ」と表記する。）を大きな値に調整することによって、表示部１２における表示を淡くする。
【００９８】
ステップＣ５において、撮像画像の輝度値が基準画像の輝度値よりも大きいと判断された場合、すなわち周囲が明るい場合は、ステップＣ７に進む。ステップＣ７では、照明部１４の発光光量を小さくする。また、輝度などの表示パラメータを小さな値に調整することによって、表示部１２における表示を濃くする。前述のように、周囲の明るさに応じて照明部１４の発光光量および表示部１２の表示パラメータを調整することによって、ユーザは表示部１２に表示される画像を視覚認識しやすくなる。
【００９９】
【発明の効果】
以上のように本発明によれば、モード切替手段によって検出モードに切替えられた場合に、従来、撮像モードでのみ動作していた撮像手段が動作し、状態検出手段は、この撮像手段によって撮像された画像に基づいて携帯型電子機器の状態を検出する。これによって、状態を検出するための専用の部品を、携帯型電子機器に新たに備える必要がないので、携帯型電子機器全体の部品点数を増やすことなく、携帯型電子機器の状態を検出することができる。
【０１００】
また本発明によれば、第２筐体が、撮像手段によって撮像された画像に写っているか否かを検出するだけで、携帯型電子機器の開閉状態を検出することができるので、比較的容易かつ短時間に携帯型電子機器の開閉状態を検出することができる。
【０１０１】
また本発明によれば、予め２つの筐体を折りたたんだときの第２筐体の内側に備えられた印が、撮像手段によって撮像された画像に写っているか否かを検出するだけで、携帯型電子機器の開閉状態を検出することができるので、撮像手段によって撮像された画像に第２筐体が写っているか否かに基づいて開閉状態を検出するときよりも、さらに容易かつ短時間に携帯型電子機器の開閉状態を検出することができる。
【０１０２】
また本発明によれば、サンプル画像の第２筐体の形態と第２筐体を含む画像の第２筐体の形態とが一致するか否かを判断するだけで、２つの筐体の成す角度を検出することができるので、撮像手段によって撮像された第２筐体を含む画像の第２筐体の形態に基づいて、比較的容易かつ短時間に２つの筐体の成す角度を検出することができる。
【０１０３】
また本発明によれば、サンプル画像の印の形態と印を含む画像の印の形態とが一致するか否かを判断するだけで、２つの筐体の成す角度を検出することができるので、撮像手段によって撮像された第２筐体を含む画像の第２筐体の形態に基づいて２つの筐体の成す角度を検出するときよりも、さらに容易かつ短時間に２つの筐体の成す角度を検出することができる。
【０１０４】
また本発明によれば、撮像画像の輝度値と基準画像の輝度値とを比較して大小関係を判断するだけで、携帯型電子機器の周囲の明るさを検出することができるので、撮像手段によって撮像された画像に基づいて、比較的容易かつ短時間に携帯型電子機器の周囲の明るさを検出することができる。
【０１０５】
また本発明によれば、携帯型電子機器が開いている状態で照明手段の発光光量が大きくなるように調整することによって、ユーザは表示手段に表示される画像を視覚認識しやすくなる。携帯型電子機器が閉じている状態で照明手段の発光光量が小さくなるように調整することによって、携帯型電子機器の消費電力を抑えることができる。また携帯型電子機器が開いている状態で輝度を大きな値に調整することによって、ユーザは表示手段に表示される画像を視覚認識しやすくなる。携帯型電子機器が閉じている状態で輝度を小さな値に調整することによって、携帯型電子機器の消費電力を抑えることができる。
【０１０６】
また、２つの筐体の成す角度が大きくなるに従って、照明手段の発光光量が大きくなるように調整することによって、ユーザは表示手段に表示される画像を視覚認識しやすくなる。２つの筐体の成す角度が小さくなるに従って、照明手段の発光光量が小さくなるように調整することによって、携帯型電子機器の消費電力を抑えることができる。また２つの筐体の成す角度が大きくなるにしたがって、視覚認識性に関するパラメータを大きな値に調整することによって、ユーザは表示手段に表示される画像を視覚認識しやすくなる。２つの筐体の成す角度が小さくなるにしたがって、輝度を小さな値に調整することによって、携帯型電子機器の消費電力を抑えることができる。
【０１０７】
さらに光量調整手段が、携帯型電子機器の周囲の明るさに基づいて照明手段の発光光量を調整し、パラメータ調整手段が、携帯型電子機器の周囲の明るさに基づいて表示手段の視覚認識性に関するパラメータを調整することによって、ユーザは表示手段に表示される画像を視覚認識しやすくなる。
【図面の簡単な説明】
【図１】本発明の第１の実施形態である携帯電話機１００の電気的構成を示すブロック図である。
【図２】携帯電話機１００を開いた状態で、表示部１２が配置されている内側（正面側）から見た斜視図である。
【図３】第１筐体１６の一部を切り欠いて示す斜視図である。
【図４】携帯電話機１００の開閉状態に基づいて表示部１２および照明部１４の調整を行う処理を示すフローチャートである。
【図５】第２の実施形態における携帯電話機１００の２つの筐体１６，１７の成す角度に基づいて表示部１２および照明部１４の調整を行う処理を示すフローチャートである。
【図６】第３の実施形態における携帯電話機１００の周囲の明るさに基づいて表示部１２および照明部１４の調整を行う処理を示すフローチャートである。
【符号の説明】
１　アンテナ
２　通信部
３　キー操作部
４　主制御部
９　カメラ部
１０　モータ部
１１　パラメータ調整部
１２　表示部
１３　光量調整部
１４　照明部
１５　印
１６　第１筐体
１７　第２筐体
１８　ヒンジ部
１００　携帯電話機
【図１】
2004135174.tif 000003
【図２】
2004135174.tif 000004
【図３】
2004135174.tif 000005
【図４】
2004135174.tif 000006
【図５】
2004135174.tif 000007
【図６】
2004135174.tif 000008